(57)【特許請求の範囲】
【請求項１】
紙幣が導入される紙幣導入口と、
前記紙幣を排出する紙幣排出口と、
前記紙幣導入口と前記紙幣排出口との間に介在し、前記紙幣導入口に導入された紙幣を前記紙幣排出口に搬送する紙幣搬送通路と、
前記紙幣搬送通路を通る紙幣を搬送する紙幣搬送機構と、
を備え、
前記紙幣搬送通路を機体の一方端側に寄せて配置し、前記紙幣搬送機構を前記紙幣搬送通路の片方側に配置しており、
紙幣識別機を搭載した紙幣処理装置における紙幣の排出口が前記紙幣導入口に接続され、前記紙幣処理装置に導入された紙幣を紙幣収納部へと搬送する紙幣搬送装置における紙幣の導入口が前記紙幣排出口に接続されることにより、前記紙幣処理装置から前記紙幣搬送装置へと紙幣を受け渡すものであり、
前記紙幣排出口の周縁部に設けられた紙幣通路排出接続部と、前記紙幣導入口の周縁部に設けられた紙幣通路導入接続部と、を備え、前記紙幣通路排出接続部は、他の紙幣補助搬送装置の前記紙幣通路導入接続部に左右反転して接続可能な態様で設けられることを特徴とする紙幣補助搬送装置。
【請求項２】
前記紙幣通路排出接続部と前記紙幣通路導入接続部との一方は、前記紙幣排出口又は前記紙幣導入口の周縁部に、前記紙幣搬送通路を挟んでそれぞれ独立して平行に設けられた可撓性を有する二つの平板部と、前記平板部の一方の先端部にその接続方向に対して対称に設けられた楔状の係合爪部と、を備え、前記紙幣通路排出接続部と前記紙幣通路導入接続部との他方は、前記紙幣搬送通路を挟んでその両側に前記係合爪部と係合する係合孔部を備えることを特徴とする請求項１に記載の紙幣補助搬送装置。
【請求項３】
前記紙幣搬送通路の片方側に前記紙幣搬送通路を開放する開放扉を備えることを特徴とする請求項１又は２に記載の紙幣補助搬送装置。
【請求項４】
前記紙幣搬送機構は、回転駆動力を出力するモータと、前記モータにより回転駆動される羽根車と、を備え、前記羽根車は、その羽部の先端が前記紙幣搬送通路内に突出する態様で配置され、前記紙幣搬送通路を通る紙幣を搬送することを特徴とする請求項１〜３のうち、いずれか１項に記載の紙幣補助搬送装置。
【発明の詳細な説明】
【技術分野】
【０００１】
本発明は、紙幣の搬送を補助する紙幣補助搬送装置に関する。この装置は、例えば、遊技場において複数並設されたパチンコ台等の遊技機の間に配設される複数のパチンコ玉等の遊技媒体の貸出機に投入された紙幣を、その遊技機列の背面側に設けられ、遊技機列の一側端側に設けられた両替機等の紙幣収納部へ搬送する紙幣搬送装置に受け渡す補助搬送装置として利用される。
【背景技術】
【０００２】
一般に、パチンコ台やスロット台等の遊技台が複数並設された遊技島には、パチンコ玉やメダル等の遊技媒体を借りるために遊技者が挿入した紙幣の真贋を識別すると共に、真札と識別された紙幣を両替機等の紙幣収納部に回収する紙幣回収システムが設けられている（特許文献１，２参照）。具体的には、このシステムでは、隣接する遊技台の接客面の間に設置された台間玉貸機内の紙幣識別機が、遊技者が挿入した紙幣の真贋を識別し、紙幣が真札である場合、その背面に設けられた紙幣搬送装置に紙幣を搬送する。そして、紙幣搬送装置は、複数台の台間玉貸機と遊技島の端部に設けられた紙幣収納部とを無端状のチェーンによって接続し、このチェーンによって紙幣識別機から排出された紙幣を紙幣収納部に搬送する。
【先行技術文献】
【特許文献】
【０００３】
【特許文献１】特開２００８−２１３９５４号公報
【特許文献２】特開２００８−２１３９５５号公報
【発明の概要】
【発明が解決しようとする課題】
【０００４】
しかしながら、従来の紙幣回収システムによれば、紙幣識別機を備える台間玉貸機と紙幣搬送装置との間の距離が、紙幣識別機が紙幣を搬送可能な距離以上である場合、或いは台間玉貸機と紙幣搬送装置との間に柱等の障害物がある場合、紙幣識別機から紙幣搬送装置に紙幣を搬送できないことがあった。このため、紙幣識別機を備える台間玉貸機と紙幣搬送装置との間の距離が長い場合や、その間に柱等の障害物がある場合であっても、紙幣識別機から紙幣搬送装置に紙幣を搬送可能な紙幣回収システムの提供が期待されている。
【０００５】
本発明は、上記課題に鑑みてなされたものであって、その目的は、紙幣識別機を備える台間玉貸機と紙幣搬送装置との間の距離が長い場合や、その間に柱等の障害物がある場合であっても、その紙幣識別機から紙幣搬送装置に紙幣を搬送可能な紙幣補助搬送装置を提供することにある。
【課題を解決するための手段】
【０００６】
上記課題を解決し、目的を達成するために、本発明に係る紙幣補助搬送装置は、紙幣が導入される紙幣導入口と、前記紙幣を排出する紙幣排出口と、前記紙幣導入口と前記紙幣排出口との間に介在し、前記紙幣導入口に導入された紙幣を前記紙幣排出口に搬送する紙幣搬送通路と、前記紙幣搬送通路を通る紙幣を搬送する紙幣搬送機構と、を備え、前記紙幣搬送通路を機体の一方端側に寄せて配置し、前記紙幣搬送機構を前記紙幣搬送通路の片方側に配置しており、紙幣識別機を搭載した紙幣処理装置における紙幣の排出口が前記紙幣導入口に接続され、前記紙幣処理装置に導入された紙幣を紙幣収納部へと搬送する紙幣搬送装置における紙幣の導入口が前記紙幣排出口に接続されることにより、前記紙幣処理装置から前記紙幣搬送装置へと紙幣を受け渡す。
【０００７】
本発明に係る紙幣補助搬送装置は、上記発明において、前記紙幣搬送通路の片方側に前記紙幣搬送通路を開放する開放扉を備える。
【０００８】
本発明に係る紙幣補助搬送装置は、上記発明において、前記紙幣搬送機構は、回転駆動力を出力するモータと、前記モータにより回転駆動される羽根車と、を備え、前記羽根車は、その羽部の先端が前記紙幣搬送通路内に突出する態様で配置され、前記紙幣搬送通路を通る紙幣を搬送する。
【００１０】
本発明に係る紙幣補助搬送装置は、上記発明において、前記紙幣排出口の周縁部に設けられた紙幣通路排出接続部と、前記紙幣導入口の周縁部に設けられた紙幣通路導入接続部と、を備え、前記紙幣通路排出接続部は、他の紙幣補助搬送装置の前記紙幣通路導入接続部に左右反転して接続可能な態様で設けられる。
【００１１】
本発明に係る紙幣補助搬送装置は、上記発明において、前記紙幣通路排出接続部と前記紙幣通路導入接続部との一方は、前記紙幣排出口又は前記紙幣導入口の周縁部に、前記紙幣搬送通路を挟んでそれぞれ独立して平行に設けられた可撓性を有する二つの平板部と、前記平板部の一方の先端部にその接続方向に対して対称に設けられた楔状の係合爪部と、を備え、前記紙幣通路排出接続部と前記紙幣通路導入接続部との他方は、前記紙幣搬送通路を挟んでその両側に前記係合爪部と係合する係合孔部を備える。
【発明の効果】
【００１２】
本発明に係る紙幣補助搬送装置によれば、紙幣識別機を備える台間玉貸機と紙幣搬送装置との間に柱等の障害物がある場合であっても、機体を左右反転して装着することによって、障害物を避けて紙幣識別機から紙幣搬送装置に紙幣を搬送することができる。また、本発明に係る紙幣補助搬送装置によれば、紙幣識別機を備える台間玉貸機と紙幣搬送装置との間の距離が長い場合は、その間に紙幣補助搬送装置を連設することにより、紙幣識別機から紙幣搬送装置に紙幣を搬送することができる。
【図面の簡単な説明】
【００１３】
【図１】図１は、本発明の一実施形態である紙幣補助搬送装置が適用される遊技島の構成を示す斜視図である。
【図２】図２は、図１に示す遊技島の構成を示す概略平面図であり、図２（ａ）は遊技島の全体構成を示す概略平面図であり、図２（ｂ）は図２（ａ）に示す遊技島の要部拡大図である。
【図３】図３は、本願発明の一実施形態である紙幣補助搬送装置を紙幣導入口側から見た斜視図であり、開閉扉が閉じている状態を示す。
【図４】図４は、本願発明の一実施形態である紙幣補助搬送装置を紙幣導入口側から見た斜視図であり、開閉扉が開いている状態を示す。
【図５】図５は、本願発明の一実施形態である紙幣補助搬送装置を紙幣排出口側から見た斜視図である。
【図６】図６は、本発明の一実施形態である紙幣補助搬送装置の構成を示す分解斜視図である。
【図７】図７は、本発明の一実施形態である紙幣補助搬送装置の配設例を示す平面図である。
【図８】図８は、本発明の一実施形態である紙幣補助搬送装置の他の配設例を示す平面図である。
【図９】図９は、モータの配設例を示す側面である。
【図１０】図１０は、モータの他の配設例を示す側面図である。
【図１１】図１１は、本発明の一実施形態である紙幣補助搬送装置の変形例を示す平面図である。
【発明を実施するための形態】
【００１４】
以下、図面を参照して、本発明の一実施形態である紙幣補助搬送装置の構成について説明する。
【００１５】
〔遊技島の構成〕
始めに、図１，図２を参照して、本発明の一実施形態である紙幣補助搬送装置が適用される遊技島の構成について説明する。図１は、本発明の一実施形態である紙幣補助搬送装置が適用される遊技島の構成を示す斜視図である。図２は、図１に示す遊技島の構成を示す概略平面図であり、図２（ａ）は遊技島の全体構成を示す概略平面図であり、図２（ｂ）は図２（ａ）に示す遊技島の要部拡大図である。
【００１６】
図１及び図２（ａ），（ｂ）に示すように、本発明の一実施形態である紙幣補助搬送装置が適用される遊技島１は、複数並設されたパチンコ台やスロット台等の遊技台２と、隣接する遊技台２の接客面の間に設置された台間玉貸機３と、台間玉貸機３の背面側に設けられた紙幣搬送装置４と、遊技機２の列の一方端側に設けられた両替機等の紙幣収納部５とを備える。
【００１７】
台間玉貸機３は、内部に設けられた図示しない紙幣識別機によって紙面が鉛直方向に沿って平行な状態で紙幣挿入口３１に挿入された紙幣Ｐの真贋を識別し、紙幣Ｐが真札である場合、本発明の一実施形態である紙幣補助搬送装置１００を介して紙幣搬送装置４の紙幣導入部４１に紙幣Ｐを搬送する。紙幣搬送装置４は、遊技機２の列に沿ってその背面側に延設された無端状のチェーンを備える紙幣搬送路４２によって紙幣導入部４１に搬送された紙幣Ｐを紙幣収納部５に向けて搬送する。紙幣収納部５は、紙幣搬送路４２から搬送された紙幣Ｐを収納する。
【００１８】
以下、本明細書中では、台間玉貸機３（図示しない紙幣識別機を備える）から紙幣搬送装置４の紙幣導入部４１への紙幣Ｐの搬送方向をＹ軸方向、Ｙ軸方向を含む水平面内方向であってＹ軸方向に対し垂直な方向をＸ軸方向、ＸＹ平面（水平面）に対して垂直な方向（鉛直方向）をＺ軸方向と定義する。また、紙幣Ｐは、紙面がＺ軸方向に対して平行な状態で搬送されるものとする。
【００１９】
〔紙幣補助搬送装置の構成〕
次に、図３乃至図８を参照して、本発明の一実施形態である紙幣補助搬送装置の構成について説明する。
【００２０】
図３は、本願発明の一実施形態である紙幣補助搬送装置を紙幣導入口側から見た斜視図であり、開閉扉が閉じている状態を示す。図４は、本願発明の一実施形態である紙幣補助搬送装置を紙幣導入口側から見た斜視図であり、開閉扉が開いている状態を示す。図５は、本願発明の一実施形態である紙幣補助搬送装置を紙幣排出口側から見た斜視図である。図６は、本発明の一実施形態である紙幣補助搬送装置の構成を示す分解斜視図である。図７は、本発明の一実施形態である紙幣補助搬送装置の配設例を示す平面図である。図８は、本発明の一実施形態である紙幣補助搬送装置の他の配設例を示す平面図である。
【００２１】
図３乃至図５に示すように、本発明の一実施形態である紙幣補助搬送装置１００は、２つの分割体１０１，１０２を有している。２つの分割体１０１，１０２はそれぞれ、長方形状、且つ、板状の底壁１０１ａ，１０２ａと、底壁１０１ａ，１０２ａの周縁で突出する周壁１０１ｂ〜１０１ｅ，１０２ｂ〜１０２ｅとを有している。
【００２２】
分割体１０２のＹ軸方向の周壁１０２ｃ，１０２ｅにはそれぞれ、紙幣導入口１１１ａ及び紙幣排出口１１１ｂが設けられている。紙幣導入口１１１ａと紙幣排出口１１１ｂとの間には、分割体１０２の底壁１０２ａと底壁１０２ａに設けられた開閉扉１１２とによって紙幣搬送通路１１３が形成されている。開閉扉１１２は、Ｚ軸方向に伸びる回転軸１１２ａを回転軸として開閉可能な状態で底壁１０２ａに設けられている。開閉可能な開閉扉１１２を設けることによって、紙幣搬送通路１１３内に紙幣が詰まった場合であっても、紙幣を容易に取り出すことができる。
【００２３】
紙幣排出口１１１ｂは、紙幣搬送通路１１３を挟んでそれぞれ独立してＹ方向に沿って平行に設けられた可撓性を有する２つの平板部１１４ａ，１１４ｂを備える。一方の平板部１１４ａの外側面先端部には、接続方向であるＹ方向に対して対称に楔状の係合爪部１１５ａ，１１５ｂが設けられている。２つの平板部１１４ａ，１１４ｂと係合爪部１１５ａ，１１５ｂとは、本発明に係る紙幣通路排出接続部として機能する。紙幣導入口１１１ａは、係合爪部１１５ａ，１１５ｂと係合する係合孔部１１３ａ，１１３ｂを備える。係合孔部１１３ａ，１１３ｂは、紙幣導入口１１１ａの左右両側面それぞれに対称に設けられ、本発明に係る紙幣通路導入接続部として機能する。
【００２４】
平板部１１４ａ，１１４ｂは、紙幣搬送装置４の紙幣導入部４１内に挿入されて、紙幣補助搬送装置１００を紙幣導入部４１に係止する。また、平板部１１４ａ，１１４ｂを他の紙幣搬送装置１００の紙幣導入口１１１ａに挿入し、係合爪部１１５ａ，１１５ｂを係合孔部１１３ａ，１１３ｂと係合させることによって、他の紙幣補助搬送装置１００を接続することができる。この場合、係合孔部１１３ａ，１１３ｂは、紙幣導入口１１１ａの左右両側面それぞれに対称に設けられるから、他の紙幣補助搬送装置１００を左右反転して接続することができる。
【００２５】
また、係合爪部１１５ａ，１１５ｂを一方の平板部１１４ａにのみ設けることによって、紙幣補助搬送装置１００を平板部１１４ａ，１１４ｂの一方に捩ることによって、紙幣補助搬送装置１００の接続を簡単に解除し、着脱操作性を容易にすることができる。なお、平板部１１４ａ，１１４ｂ及びその一方の平板部１１４ａに設けられる係合爪部１１５ａ，１１５ｂとからなる接続手段と、それと対応する係合孔部１１３ａ，１１３ｂを備える接続手段は、紙幣排出口１１１ｂまたは紙幣導入口１１１ａのいずれかに一方を、その他に他方を設ければよく、その配置が限定されるものではない。
【００２６】
図６に示すように、分割体１０１，１０２には、その底壁１０１ａ，１０２ａ及び周壁１０１ｂ〜１０１ｅ，１０２ｂ〜１０２ｅによって凹部１０１ｆ，１０２ｆが形成されている。２つの分割体１０１，１０２は、周壁１０１ｂ〜１０１ｅ，１０２ｂ〜１０２ｅの突出している端縁同士が当接した状態で、例えばネジ１０３ａ〜１０３ｄ等の固定具によって一体化されることによって、Ｚ軸方向を長手方向とする略箱形状の筐体を形成する。
【００２７】
分割体１０１の凹部１０１ｆには、Ｚ軸方向に伸びる出力軸１２０ａを有するモータ１２０と、モータ１２０の動作を制御する制御基板１２１とが収容されている。分割体１０２の凹部１０２ｆには、複数のギヤ１３１，１３２を含む減速機構と、羽根車１３３と、紙幣搬送通路１１３内に搬送された紙幣を検出する紙幣検出センサ１３４とを備える。
【００２８】
ギヤ１３１は、Ｚ軸方向に伸びる回転軸１３１ａを有している。ギヤ１３２は、Ｚ軸方向に伸びる回転軸１３２ａを有している。羽根車１３３は、ギヤ１３１，１３２を含む減速機構を介して伝達されたモータ１２０の回転駆動力によって回転する。羽根車１３３の羽部は、紙幣搬送通路１１３に搬送された紙幣に接触可能なように、底壁１０２ａに設けられた開口部１０２ｇを介して紙幣搬送通路１１３側に突出している（図３乃至図５参照）。
【００２９】
図７又は図８に示すように、紙幣補助搬送装置１００は、紙幣導入口１１１ａに紙幣識別機を備える台間玉貸機３の紙幣排出口を挿入すると共に、平板部１１４ａ，１１４ｂを紙幣搬送装置４の紙幣導入部４１に係止することによって、紙幣識別機を備える台間玉貸機３と紙幣導入部４１との間に配設される。紙幣補助搬送装置１００は、筐体の長手方向がＺ軸方向に沿うように配設される。具体的には、紙幣補助搬送装置１００は、分割体１０１の周壁１０１ｂ及び分割体１０２の周壁１０２ｂを上面側（図７）、若しくは、分割体１０１の周壁１０１ｄ及び分割体１０２の周壁１０２ｄを上面側（図８）として配設することができる。また、この紙幣補助搬送装置１００では、紙幣搬送通路１１３がＸ方向の一方側に寄せて配置され、紙幣搬送通路１１３を通る紙幣の搬送機構がＸ方向の他方側に配置されている。これにより、紙幣識別機を備える台間玉貸機３と紙幣導入部４１との間に柱等の障害物が存在する場合であっても、紙幣補助搬送装置１００を例えば左右反転して配設することによって、障害物を避けて紙幣補助搬送装置１００を配設することができる。
【００３０】
このような構成を有する紙幣補助搬送装置１００では、紙幣検出センサ１３４によって紙幣搬送通路１１３内に紙幣が搬送されたことが検出されると、制御基板１２１に設けられた図示しない制御装置が、図示しない電源からモータ１２０に電力を供給する。図示しない電源としては、紙幣補助搬送装置１００の外部に設けられた電源や紙幣補助搬送装置１００の内部に設けられた電池等を例示することができる。
【００３１】
図示しない電源から電力が供給されると、モータ１２０は、Ｚ軸方向を回転軸として周壁１０１ｄ，１０２ｄ側から見て反時計回り方向に回転する。そして、モータ１２０の回転駆動力がギヤ１３１，１３２を介して羽根車１３３に伝達されることによって、羽根車１３３が、Ｚ軸方向を回転軸として周壁１０１ｄ，１０２ｄ側から見て時計回り方向に回転する。これにより、羽根車１３３に接触した紙幣搬送通路１１３内の紙幣は、Ｙ軸方向に沿って台間玉貸機３側から紙幣導入部４１側へと搬送される。
【００３２】
以上の説明から明らかなように、本発明の一実施形態である紙幣補助搬送装置１００は、紙幣が導入される紙幣導入口１１１ａと、紙幣を排出する紙幣排出口１１１ｂと、紙幣導入口１１１ａと紙幣排出口１１１ｂとの間に介在し、紙幣導入口１１１ａに導入された紙幣を紙幣排出口１１１ｂに搬送する紙幣搬送通路１１３と、紙幣搬送通路１１３を通る紙幣を搬送する紙幣搬送機構（モータ１２０，羽根車１３３）と、を備え、紙幣搬送通路１１３をＸ方向の一方側に寄せて配置し、紙幣搬送機構をＸ方向の他方側に配置している。これにより、台間玉貸機３と紙幣導入部４１との間に柱等の障害物が存在する場合であっても、紙幣補助搬送装置１００を左右反転して配設することによって、障害物を避けて紙幣補助搬送装置１００を配設し、障害物を避けて台間玉貸機３から紙幣導入部４１に紙幣を搬送することができる。
【００３３】
図８に示すように、モータ１２０の出力軸１２０ａ側が上面側に対向するように紙幣補助搬送装置１００を配設した場合、モータ１２０内部のブラシに摩耗粉が落下して付着することによってショートや導電不良が生じることがある。このため、分割体１０１，１０２は、図９及び図１０に示すように、モータ１２０を支持するモータ支持部１４１ａ，１４１ｂ、減速機構を支持する軸受等の減速機構支持部１４２ａ，１４２ｂ、及び制御基板１２１を支持する制御基板支持部１４３ａ，１４３ｂをＸ軸方向の中心軸線Ｌに対し線対称に設けることが望ましい。すなわち、図９に示すように、長手方向の一方の端面１０１ｄ、１０２ｄが下面に配置された場合にモータ１２０の出力軸１２０ａを一方の端面１０１ｄ，１０２ｄに対向するようにモータ１２０を支持する構造と、図１０に示すように、長手方向の一方の端面１０１ｄ，１０２ｄが上面に配置された場合にモータ１２０の出力軸１２０ａが他方の端面１０１ｂ，１０２ｂに対向するようにモータ１２０を支持する構造とを備えることが好ましい。
【００３４】
このような構成によれば、図９又は図１０のどちらの状態で紙幣補助搬送装置１００を配設するかに応じてモータ１２０の出力軸１２０ａが対向する端面を変更することによって、モータ１２０の出力軸１２０ａを常に下面側に対向させることにより、モータ１２０内部のブラシに摩耗粉が落下して付着することによってショートや導電不良が生じることを抑制し、故障が少ない装置を提供することができる。
【００３５】
本実施形態では、図７又は図８に示すように、紙幣識別機を備える台間玉貸機３と紙幣導入部４１との間に紙幣補助搬送装置１００を１つ配設したが、一方の紙幣補助搬送装置１００の係合爪部１１５ａ，１１５ｂを他方の紙幣補助搬送装置１００の係合孔部１１３ａ，１１３ｂに係合させることによって、図１１（ａ）〜（ｄ）に示すように紙幣識別機を備える台間玉貸機３と紙幣導入部４１との間に紙幣補助搬送装置１００をその設置環境に応じて多用な態様で複数配設してもよい。図１１（ａ）に示す配設例は、２つの紙幣補助搬送装置１００の紙幣搬送機構側を紙幣搬送路４２の紙幣搬送方向とは反対の方向側に配設した配設例である。図１１（ｂ）に示す配設例は、２つの紙幣補助搬送装置１００の紙幣搬送機構側を交互に配設した配設例である。図１１（ｃ）に示す配設例は、２つの紙幣補助搬送装置１００の紙幣搬送機構側を紙幣搬送路４２の紙幣搬送方向側に配設した配設例である。図１１（ｄ）に示す配設例は、３つの紙幣補助搬送装置１００の紙幣搬送機構側を交互に配設した配設例である。
【００３６】
このように紙幣搬送補助装置１００を連ねて配置することで、紙幣識別機を備える台間玉貸機３と紙幣搬送路４２との間の距離が長い場合も、紙幣識別機を備える台間玉貸機３から紙幣搬送装置４２に紙幣を搬送することができる。なお、複数の紙幣補助搬送装置１００を接続する場合には、全ての紙幣補助搬送装置１００に紙幣搬送機構を設ける必要はなく、紙幣の長手方向の寸法及び紙幣補助搬送装置１００のＹ軸方向の寸法に応じて所定の紙幣補助搬送装置１００の数毎に紙幣搬送機構を備える紙幣補助搬送装置１００を配設すればよい。
【００３７】
以上、本発明者によってなされた発明を適用した実施の形態について説明したが、本実施形態による本発明の開示の一部をなす記述及び図面により本発明は限定されることはない。すなわち、本実施形態に基づいて当業者等によりなされる他の実施の形態、実施例及び運用技術等は全て本発明の範疇に含まれる。
【符号の説明】
【００３８】
１  遊技島
２  遊技台
３  台間玉貸機
４  紙幣搬送装置
５  紙幣収納部
３１  紙幣挿入口
４１  紙幣導入部
４２  紙幣搬送路
１００  紙幣補助搬送装置
１０１，１０２  分割体
１０１ａ，１０２ａ  底壁
１０１ｂ〜１０１ｅ，１０２ｂ〜１０２ｅ  周壁
１０１ｆ，１０２ｆ  凹部
１０２ｇ  開口部
１０３ａ〜１０３ｄ  ネジ
１１１ａ  紙幣導入口
１１１ｂ  紙幣排出口
１１２  開閉扉
１１３  紙幣搬送通路
１１３ａ，１１３ｂ  係合孔部
１１４ａ，１１４ｂ  平板部
１１５ａ，１１５ｂ  係合爪部
１２０  モータ
１２０ａ  出力軸
１２１  制御基板
１３１，１３２  ギヤ
１３３  羽根車
１３４  紙幣検出センサ
１４１ａ，１４１ｂ  モータ支持部
１４２ａ，１４２ｂ  減速機構支持部
１４３ａ，１４３ｂ  制御基板支持部
Ｌ  中心軸線
Ｐ  紙幣
【図１】
0005732757.tif 000002
【図２】
0005732757.tif 000003
【図３】
0005732757.tif 000004
【図４】
0005732757.tif 000005
【図５】
0005732757.tif 000006
【図６】
0005732757.tif 000007
【図７】
0005732757.tif 000008
【図８】
0005732757.tif 000009
【図９】
0005732757.tif 000010
【図１０】
0005732757.tif 000011
【図１１】
0005732757.tif 000012